(57)【要約】【課題】車軸連結時の工程数を削減することができ、車軸連結作業の簡素化及びコストの低廉化を図ることができる車両用差動装置を提供する。【解決手段】ピニオンギヤ支持部１０，１１及び１対の車軸挿入孔９Ｌ，９Ｒを内部に有するデフケース２と、ピニオンギヤ支持部１０，１１に摺動自在に支持されたピニオンギヤ３，４と、ピニオンギヤ３，４に噛合する１対のサイドギヤ５Ｌ，５Ｒと、１対のサイドギヤ５Ｌ，５Ｒの背面と１対の車軸挿入孔９Ｌ，９Ｒの内側開口周縁との間にそれぞれ介装され、径方向のずれを防止する係止片２６，２７によって係止される１対のスラストワッシャ６Ｌ，６Ｒとを備えた。【選択図】図２
2008082533.tif 000002
【特許請求の範囲】
【請求項１】
複数のピニオンギヤ支持部及び１対の車軸挿入孔を内部に有するデフケースと、
前記複数のピニオンギヤ支持部に摺動自在に支持されたピニオンギヤと、
前記ピニオンギヤに噛合する１対のサイドギヤと、
前記１対のサイドギヤの背面と前記１対の車軸挿入孔の内側開口周縁との間にそれぞれ介装され、径方向の移動が規制された１対のスラストワッシャと
を備えたことを特徴とする車両用差動装置。
【請求項２】
複数のピニオンギヤ支持部及び１対の車軸挿入孔を内部に有するデフケースと、
前記複数のピニオンギヤ支持部に摺動自在に支持された複数のピニオンギヤと、
前記複数のピニオンギヤに噛合する１対のサイドギヤと、
前記１対のサイドギヤの背面と前記１対の車軸挿入孔の内側開口周縁との間にそれぞれ介装され、径方向のずれを防止する係止部によって係止される１対のスラストワッシャと
を備えたことを特徴とする車両用差動装置。
【請求項３】
前記１対のスラストワッシャは、サイドギヤ側にワッシャ内周部からワッシャ外周部に潤滑油を導入する潤滑油導入路をそれぞれ有する請求項２に記載の車両用差動装置。
【請求項４】
前記係止部は、前記１対のスラストワッシャ，前記１対のサイドギヤ及び前記デフケースのいずれか１つに設けられている請求項２に記載の車両用差動装置。
【請求項５】
前記係止部は塑性変形可能な係止片によって形成されている請求項４に記載の車両用差動装置。
【請求項６】
前記係止部は、前記１対のスラストワッシャの円周方向に等間隔をもって並列する複数の係止片によって形成されている請求項４に記載の車両用差動装置。
【請求項７】
前記係止部は、前記１対のサイドギヤの回転を許容する位置に配置されている請求項２に記載の車両用差動装置。
【請求項８】
前記複数のピニオンギヤは、それぞれシャフトレス型のピニオンギヤである請求項２に記載の車両用差動装置。
【請求項９】
前記複数のピニオンギヤ支持部は、前記複数のピニオンギヤの少なくともギヤ噛み合い部の一部を摺動自在に支持する部位が前記デフケースの内面にその回転軸線側に延出して設けられている請求項２に記載の車両用差動装置。
【請求項１０】
予め１対の車軸挿入孔が設けられたデフケース内に１対のピニオンギヤを挿入して所定の位置に支持する第１ステップと、
前記デフケース内に１対のサイドギヤを挿入してサイドギヤ軸線が車軸に合致する位置に配置する第２ステップと、
前記１対の車軸挿入孔の内側開口周縁と前記１対のサイドギヤの背面との間に、径方向のずれを防止する係止部を有する１対のスラストワッシャをそれぞれ介在させ、前記１対のピニオンギヤに前記１対のサイドギヤを噛合する第３ステップと、
前記１対のサイドギヤに前記１対の係止部をそれぞれ係止する第４ステップと
を備えたことを特徴とする車両用差動装置の組立方法。
【請求項１１】
前記第２ステップにおいて、前記デフケース内に前記１対のサイドギヤを挿入するにあたり、前記デフケースの回転軸線を介して互いに対向する位置から前記１対のピニオンギヤを回転させるような方向に前記１対のサイドギヤを移動させる請求項１０に記載の車両用差動装置の組立方法。
【請求項１２】
複数のピニオンギヤ支持部及び１対の車軸挿入孔を内部に有するデフケースと、
前記複数のピニオンギヤ支持部に摺動自在に支持された複数のピニオンギヤと、
前記複数のピニオンギヤに噛合する１対のサイドギヤと、
前記１対のサイドギヤの背面と前記１対の車軸挿入孔の内側開口周縁との間にそれぞれ介装された１対のスラストワッシャと、
前記１対のスラストワッシャの径方向のずれをそれぞれ防止する１対のずれ防止部材と
を備えたことを特徴とする車両用差動装置。
【請求項１３】
前記１対のずれ防止部材は、前記１対の車軸挿入孔の内側開口周縁と前記１対のサイドギヤの背面との間にそれぞれ介在し、かつ前記１対のスラストワッシャにそれぞれ挿通する弾性リングによって形成されている請求項１２に記載の車両用差動装置。
【請求項１４】
前記デフケースは、前記１対の車軸挿入孔の内側開口部に前記１対のずれ防止部材の両挿通端部のうち一方の挿通端部を収容する第１収容空間が設けられ、
前記１対のサイドギヤは、スラストワッシャ側に前記１対のずれ防止部材の両挿通端部のうち他方の挿通端部を収容する第２収容空間が設けられている請求項１３に記載の車両用差動装置。
【請求項１５】
前記１対のずれ防止部材は、前記１対の車軸挿入孔の前記第１収容空間にそれぞれ装着されている請求項１４に記載の車両用差動装置。
【請求項１６】
前記デフケースは、前記１対の車軸挿入孔の第１収容空間が前記１対のずれ防止部材の外周面に圧接する内周面を有し、
前記１対のサイドギヤは、前記第２収容空間が前記１対のずれ防止部材の外周面に圧接しない内周面を有する請求項１５に記載の車両用差動装置。
【請求項１７】
予め１対の車軸挿入孔が設けられたデフケース内に１対のピニオンギヤを挿入して所定の位置に支持する第１ステップと、
前記デフケース内に１対のサイドギヤを挿入してサイドギヤ軸線が車軸に合致する位置に配置する第２ステップと、
前記１対の車軸挿入孔の内側開口周縁と前記１対のサイドギヤの背面との間に１対のスラストワッシャをそれぞれ介在させる第３ステップと、
前記１対のスラストワッシャの径方向のずれをそれぞれ防止する１対のずれ防止部材を前記１対の車軸挿入孔の内側開口部内に装着する第４ステップと
を備えたことを特徴とする車両用差動装置の組立方法。
【請求項１８】
前記第２ステップにおいて、前記デフケース内に前記１対のサイドギヤを挿入するにあたり、前記デフケースの回転軸線を介して互いに対向する位置から前記１対のピニオンギヤを回転させるような方向に前記１対のサイドギヤを移動させる請求項１７に記載の車両用差動装置の組立方法。
【発明の詳細な説明】
【技術分野】
【０００１】
本発明は、車両用差動装置に関し、特にデフケースにおける複数のピニオンギヤ支持部に摺動自在にそれぞれ支持されたシャフトレス型の複数のピニオンギヤを備えた車両用差動装置及びその組立方法に関する。
【背景技術】
【０００２】
従来の車両用差動装置として、例えば、シャフトレス型の１対のピニオンギヤを備えたものがある（特許文献１）。
【０００３】
この車両用差動装置は、前述した１対のピニオンギヤの他に、エンジントルクを受けて回転するデフケースと、デフケース内で１対のピニオンギヤに噛合する１対のサイドギヤと、１対のサイドギヤのスラスト力を受ける１対のスラストワッシャとから構成されている。
【０００４】
１対のピニオンギヤは、全周にわたって被支持部とするギヤ外周部及び１対のサイドギヤに噛合するギヤ噛み合い部を有し、デフケースの回転軸線と直角な軸線上に配置されている。デフケースは、左右の車軸をそれぞれ挿通させる１対の車軸挿入孔を有している。デフケースには、１対のピニオンギヤのギヤ外周部を摺動自在に支持する第１ピニオンギヤ支持面を有するピニオンギヤ挿入孔が設けられている。ピニオンギヤ挿入孔の内側開口周縁には、ピニオンギヤのギヤ噛み合い部の一部を摺動自在に支持する第２ピニオンギヤ支持面を有する延出部が設けられている。１対のサイドギヤは、ピニオンギヤの外径より大きい外径を有する略環状の傘歯車からなり、デフケースの回転軸線上に配置されている。１対のサイドギヤの内面には、左右の車軸がそれぞれスプライン嵌合によって連結されている。１対のスラストワッシャは、１対のサイドギヤの背面と１対の車軸挿入孔の内側開口周縁との間に介装されている。そして、１対のピニオンギヤと１対のサイドギヤとの噛み合いを調整するように構成されている。
【０００５】
以上の構成により、車両のエンジン側からのトルクがドライブピニオン及びリングギヤを介してデフケースに入力されると、デフケースが回転軸線の回りに回転される。次に、デフケースが回転されると、この回転力が１対のピニオンギヤに伝達され、さらに１対のピニオンギヤから１対のサイドギヤに伝達される。この場合、１対のサイドギヤにはそれぞれ左右の車軸がスプライン嵌合によって連結されているため、エンジン側からのトルクが車両の運転状況に応じて分配され、ドライブピニオン及びリングギヤ・デフケース・１対のピニオンギヤ・１対のサイドギヤを介して左右の車軸に伝達される。
【０００６】
ところで、この種の車両用差動装置を組み立てるには、先ず１対のピニオンギヤをデフケース２内に挿入しピニオンギヤ挿入孔及び延出部に支持し、次に１対のサイドギヤをデフケース内に挿入してそのギヤ軸線をデフケースの回転軸線に合致させた後、１対のサイドギヤの背面と１対の車軸挿入孔の内側開口周縁との間に１対のスラストワッシャをそれぞれ介装して１対のサイドギヤと１対のピニオンギヤとを噛合することにより行う。この後、１対のサイドギヤには左右の車軸がそれぞれスプライン嵌合（連結）される。
【特許文献１】特開２００６−４６６４２号公報
【発明の開示】
【発明が解決しようとする課題】
【０００７】
しかしながら、特許文献１の車両用差動装置によると、車軸連結前においてはスラストワッシャがその径方向に位置決めされておらず、このため車軸連結工程に搬送するまでの間にスラストワッシャが所定の位置から径方向に位置ずれしてしまう恐れがあり、この位置ずれしたスラストワッシャの位置を車軸連結時には修正して車軸をサイドギヤに連結する必要があった。この結果、車軸連結時の工程数が嵩み、車軸連結作業を煩雑にするばかりか、コスト高になるという問題があった。
【０００８】
従って、本発明の目的は、車軸連結時の工程数を削減することができ、もって車軸連結作業の簡素化及びコストの低廉化を図ることができる車両用差動装置及びその組立方法を提供することにある。
【課題を解決するための手段】
【０００９】
（１）本発明は、上記目的を達成するために、複数のピニオンギヤ支持部及び１対の車軸挿入孔を内部に有するデフケースと、前記複数のピニオンギヤ支持部に摺動自在に支持された複数のピニオンギヤと、前記複数のピニオンギヤに噛合する１対のサイドギヤと、前記１対のサイドギヤの背面と前記１対の車軸挿入孔の内側開口周縁との間にそれぞれ介装され、径方向の移動が規制された１対のスラストワッシャとを備えたことを特徴とする車両用差動装置を提供する。
【００１０】
（２）本発明は、上記目的を達成するために、複数のピニオンギヤ支持部及び１対の車軸挿入孔を内部に有するデフケースと、前記複数のピニオンギヤ支持部に摺動自在に支持された複数のピニオンギヤと、前記複数のピニオンギヤに噛合する１対のサイドギヤと、前記１対のサイドギヤの背面と前記１対の車軸挿入孔の内側開口周縁との間にそれぞれ介装され、径方向のずれを防止する係止部によって係止される１対のスラストワッシャとを備えたことを特徴とする車両用差動装置を提供する。
【００１１】
（３）本発明は、上記目的を達成するために、予め１対の車軸挿入孔が設けられたデフケース内に１対のピニオンギヤを挿入して所定の位置に支持する第１ステップと、前記デフケース内に１対のサイドギヤを挿入してサイドギヤ軸線が車軸に合致する位置に配置する第２ステップと、前記１対の車軸挿入孔の内側開口周縁と前記１対のサイドギヤの背面との間に、径方向のずれを防止する係止部を有する１対のスラストワッシャをそれぞれ介在させ、前記１対のピニオンギヤに前記１対のサイドギヤを噛合する第３ステップと、前記１対のサイドギヤに前記１対の係止部をそれぞれ係止する第４ステップとを備えたことを特徴とする車両用差動装置の組立方法を提供する。
【００１２】
（４）本発明は、上記目的を達成するために、複数のピニオンギヤ支持部及び１対の車軸挿入孔を内部に有するデフケースと、前記複数のピニオンギヤ支持部に摺動自在に支持された複数のピニオンギヤと、前記複数のピニオンギヤに噛合する１対のサイドギヤと、前記１対のサイドギヤの背面と前記１対の車軸挿入孔の内側開口周縁との間にそれぞれ介装された１対のスラストワッシャと、前記１対のスラストワッシャの径方向のずれをそれぞれ防止する１対のずれ防止部材とを備えたことを特徴とする車両用差動装置を提供する。
【００１３】
（５）本発明は、上記目的を達成するために、予め１対の車軸挿入孔が設けられたデフケース内に１対のピニオンギヤを挿入して所定の位置に支持する第１ステップと、前記デフケース内に１対のサイドギヤを挿入してサイドギヤ軸線が車軸に合致する位置に配置する第２ステップと、前記１対の車軸挿入孔の内側開口周縁と前記１対のサイドギヤの背面との間に１対のスラストワッシャをそれぞれ介在させる第３ステップと、前記１対のスラストワッシャの径方向のずれをそれぞれ防止する１対のずれ防止部材を前記１対の車軸挿入孔の内側開口部内に装着する第４ステップとを備えたことを特徴とする車両用差動装置の組立方法を提供する。
【発明の効果】
【００１４】
本発明によると、車軸連結時の工程数を削減することができ、車軸連結作業の簡素化及びコストの低廉化を図ることができる。
【発明を実施するための最良の形態】
【００１５】
[第１の実施の形態]
図１は、本発明の第１の実施の形態に係る車両用差動装置を説明するために示す分解斜視図である。図２は、本発明の第１の実施の形態に係る車両用差動装置を説明するために示す縦断面図である。図３は、本発明の第１の実施の形態に係る車両用差動装置を説明するために示す横断面図である。図４は、本発明の第１の実施の形態に係る車両用差動装置のピニオンギヤの組付状態を示す斜視図である。図５は、本発明の第１の実施の形態に係る車両用差動装置のピニオンギヤの組付状態をデフケースの回転軸線と直角に切断して示す断面図である。図６は、本発明の第１の実施の形態に係る車両用差動装置のピニオンギヤの組付状態をデフケースの回転軸線と平行に切断して示す断面図である。図６（ａ）は全体を、図６（ｂ）は一部をそれぞれ示す。図７は、本発明の第１の実施の形態に係る車両用差動装置のデフケースを示す斜視図である。図８は、本発明の第１の実施の形態に係る車両用差動装置のデフケースの潤滑油導入部を説明するために示す断面図である。図９は、本発明の第１の実施の形態に係る車両用差動装置のデフケースの潤滑油貯溜部を説明するために示す断面図である。図１０は、本発明の第１の実施の形態に係る車両用差動装置のピニオンギヤを説明するために示す斜視図である。図１０（ａ）はピニオンギヤを斜め上方から見た状態を、また図１０（ｂ）はピニオンギヤを斜め下方から見た状態をそれぞれ示す。図１１は、本発明の第１の実施の形態に係る車両用差動装置のサイドギヤと車軸の連結状態を示す断面図である。図１２は、本発明の第１の実施の形態に係る車両用差動装置の車軸移動規制部材を説明するために示す斜視図である。図１３は、本発明の第１の実施の形態に係る車両用差動装置の潤滑油供給動作を説明するために示す断面図である。
【００１６】
〔車両差動装置の全体構成〕
図１〜図３において、符号１で示す車両用差動装置は、エンジントルクを受けて回転するデフケース２と、このデフケース２の回転軸線Ｏと直角な軸線方向に沿って互いに並列する上下２つのピニオンギヤ３，４と、これら上下２つのピニオンギヤ３，４に噛合する左右２つのサイドギヤ５Ｌ，５Ｒと、これら左右２つのサイドギヤ５Ｌ，５Ｒの背面側に位置するスラストワッシャ６Ｌ，６Ｒとから大略構成されている。
【００１７】
（デフケース２の構成）
デフケース２は、図２及び図５・図６に示すように、ピニオンギヤ３，４及びサイドギヤ５Ｌ，５Ｒ・スラストワッシャ６Ｌ，６Ｒを収容するための空間部２Ａと、この空間部２Ａに連通する膨出部２Ｂと、ピニオンギヤ３，４の摺動面（後述する基端部Ｂの第１被支持部３ａ，４ａ及びギヤ部Ｃの第２被支持部３ｂ，４ｂ）とピニオンギヤ支持部１０，１１のピニオンギヤ支持面（後述するピニオンギヤ背面孔１０Ａ，１１Ａのピニオンギヤ支持面１０ａ，１１ａ及び延出部１０Ｂ，１１Ｂのピニオンギヤ支持面１０ｂ，１１ｂ）との間に潤滑油を導入する潤滑油導入部７，８と、ピニオンギア３，４の摺動面に潤滑油を供給する潤滑油貯溜部３０とを内部に有し、全体が１ピースの部材によって形成されている。
【００１８】
潤滑油導入部７，８は、図５に示すように、デフケース２の回転によって潤滑油（デフオイル）を掻き揚げる突起７ａ，８ａとピニオンギヤ３，４とによって構成されている。突起７ａ，８ａは、図４及び図７・図８に示すように、延出部１０Ｂ，１１Ｂ（後述）にピニオンギヤ支持面１０ｂ，１１ｂからデフケース２の回転軸線側に延出して一体に形成され、ピニオンギヤ３，４（先端部）におけるデフケース２の回転方向両側にそれぞれ配置されている。突起７ａ，８ａとピニオンギヤ３，４とで形成される空間７ｂ，８ｂは、デフケース２の回転軸線側及びピニオンギヤ支持部１０，１１の軸線回りに開口し、潤滑油を導入するように構成されている。
【００１９】
潤滑油貯溜部３０は、図６（ａ），（ｂ）及び図９に示すように、デフケース２の回転軸線Ｏの回りに沿う円弧状の凹部からなり、ピニオンギヤ支持部１０，１１（図５に示す）の近傍に位置し、その内部に貯溜された潤滑油（デフオイル）Ｌがピニオンギヤ３，４の摺動面における第１被支持部３ａ，４ａの一部に流出する位置（回転軸線Ｏと第１被支持部３ａ，４ａとの間の寸法ａと回転軸線Ｏと潤滑油貯溜部３０との間の寸法ｂとが略同一の寸法となる位置）に配設されている。そして、デフケース２の回転によって遠心力を受けた潤滑油（デフオイル）Ｌが図６（ｂ）に示すようにその内部に貯溜される。これにより、ピニオンギヤ３，４の第１被支持部３ａ，４ａに潤滑油が供給され、その第１被支持部３ａ，４ａが潤滑される。また、ピニオンギヤ支持部１０，１１の根元部に発生する応力が潤滑油貯溜部３０で分散されるので、デフケース２の機械的強度を高めることができる。
【００２０】
デフケース２には、図２及び図５に示すように、回転軸線Ｏに沿って開口する左右２つの車軸挿入孔９Ｌ，９Ｒと、これら車軸挿入孔９Ｌ，９Ｒの軸線と直角な方向に軸線をもつ上下１対のピニオンギヤ支持部１０，１１とが設けられている。また、デフケース２には、図５及び図８に示すように、回転軸線Ｏ（図１に示す）に関して対称な領域であって、ピニオンギヤ支持部１０，１１から円周方向に等間隔をもって離間する部位に位置するサイドギヤ通過孔１２Ｌ，１２Ｒが設けられている。デフケース２の左方車軸側には、図１〜図３に示すように、回転軸線Ｏと直角な平面内で円周方向に沿う円環状のリングギヤ取付用フランジ１３が一体に設けられている。
【００２１】
車軸挿入孔９Ｌ，９Ｒは、図２及び図３に示すように、略均一な内径をもつ貫通孔によって形成されている。車軸挿入孔９Ｌ，９Ｒには、それぞれ左右の車軸２９（一方のみ図１１に示す）が挿通されている。車軸挿入孔９Ｌ，９Ｒの内側開口周縁には、スラストワッシャ６Ｌ，６Ｒを受ける球面からなるスラストワッシャ受部９Ｌａ，９Ｒａが設けられている。
【００２２】
ピニオンギヤ支持部１０，１１は、図５及び図８に示すように、ピニオンギヤ背面孔１０Ａ，１１Ａ及び延出部１０Ｂ，１１Ｂによって形成されている。
【００２３】
ピニオンギヤ背面孔１０Ａ，１１Ａは、図６に示すように、潤滑油貯溜部３０に連通する切り欠き１０ｄ，１１ｄを有する段状の貫通孔によって形成されている。そして、ピニオンギヤ支持孔及びピニオンギヤ加工用孔として機能するように構成されている。ピニオンギヤ背面孔１０Ａ，１１Ａの内側の開口サイズは、ピニオンギヤ３，４の外径と略同一の内径（サイドギヤ５Ｌ，５Ｒの外径より小さい内径）をもつサイズに設定されている。ピニオンギヤ背面孔１０Ａ，１１Ａの内面は、それぞれピニオンギヤ３，４の第１被支持部（サイドギヤ噛み合い部を除く部位）３ａ，４ａの少なくとも一部を回転自在に支持するピニオンギヤ支持面１０ａ，１１ａで形成されている。
【００２４】
ピニオンギヤ背面孔１０Ａ，１１Ａの第１段状面には、図８及び図９に示すように、遠心力が作用するピニオンギヤ３，４を受け止め、かつ所定の曲率をもつ球面で形成されたピニオンギヤ受部（頂部）ｍ，ｎが設けられている。ピニオンギヤ背面孔１０Ａ，１１Ａの第２段状面には、栓体としてのワッシャ２１，２２を受けるワッシャ受部１０ｃ，１１ｃが設けられている。ワッシャ２１，２２は、図５及び図６に示すようにピニオンギヤ３，４の背面とワッシャ受部１０ｃ，１１ｃとの間に介装されている。そして、ピニオンギヤ背面孔１０Ａ，１１Ａを閉塞し、デフケース２の回転によって遠心力を受けた潤滑油を堰き止めるように構成されている。これにより、デフケース２内の潤滑油がピニオンギヤ背面孔１０Ａ，１１Ａを経てデフケース２外に流出することが回避される。
【００２５】
ピニオンギヤ背面孔１０Ａ，１１Ａの内側開口周縁には、図５及び図８に示すように、円周方向に等間隔をもって並列し、かつデフケース２の回転軸線側（ケース内部）に延出する延出部１０Ｂ，１１Ｂが一体に設けられている。延出部１０Ｂ，１１Ｂには、ピニオンギヤ支持面１０ａ，１１ａに連接し、かつピニオンギヤ３，４の第１被支持部３ａ，４ａの一部及びピニオンギヤ３，４の第２被支持部（サイドギヤ噛み合い部の一部）３ｂ，４ｂを支持するピニオンギヤ支持面１０ｂ，１１ｂが設けられている。
【００２６】
サイドギヤ通過孔１２Ｌ，１２Ｒは、図３〜図５に示すように、平面非円形状の開口部を有する貫通孔によって形成されている。そして、その開口サイズは、ピニオンギヤ３，４及びサイドギヤ５Ｌ，５Ｒをデフケース２内に挿入し得るようなサイズに設定されている。
【００２７】
（ピニオンギヤ３，４の構成）
ピニオンギヤ３，４は、略同一の構成であるため、例えばピニオンギヤ３のみについて説明すると、ピニオンギヤ３は、図１０（ａ）及び（ｂ）に示すように所定の外径をもつ周面を有する基端部Ｂ及び円周方向に交互に並列する凸歯Ｃ１と歯溝Ｃ２を有するギヤ部Ｃがその外周部に形成された略円柱状のシャフトレス型の歯車からなり、図５に示すようにピニオンギヤ背面孔１０Ａのピニオンギヤ支持面１０ａ及び延出部１０Ｂ，１１Ｂのピニオンギヤ支持面１０ｂ，１１ｂに回転自在に支持されている。
【００２８】
ピニオンギヤ３には、延出部１０Ｂのピニオンギヤ支持面１０ｂの一部及びピニオンギヤ背面孔１０Ａのピニオンギヤ支持面１０ａに対する摺動面としての第１被支持部３ａに開口する潤滑油流入部としての複数の凹溝３Ｃ，３Ｃ，…が設けられている。
【００２９】
凹溝３Ｃ，３Ｃ，…は、ピニオンギヤ３の円周方向に所定の間隔をもって並列して配置されている。そして、ピニオンギヤ３の公転（デフケース２の回転）時にその内部に潤滑油を流入させ、ピニオンギヤ３の第１被支持部３ａと延出部１０Ｂのピニオンギヤ支持面１０ｂの一部及びピニオンギヤ背面孔１０Ａのピニオンギヤ支持面１０ａとの間に潤滑油を介在させるように構成されている。これにより、ピニオンギヤ３の摺動面としての第１被支持部３ａに十分に供給することができ、その第１被支持部３ａが焼き付く恐れを解消することができる。また、凹溝３Ｃ，３Ｃ，…は、ピニオンギヤ３の公転時に作用する遠心力によって潤滑油がデフケース２の回転軸線側からピニオンギヤ３の背面側に流動するようにその長手方向をピニオンギヤ３の自転軸と平行させてピニオンギヤ支持部１０，１１のピニオンギヤ受部側及びデフケース２の回転軸線側のうち少なくとも一側に開口されている。
【００３０】
また、ピニオンギヤ３には、図１０（ａ）及び（ｂ）に示すように、ギヤ軸線方向に開口する貫通孔３Ａが設けられている。これにより、ピニオンギヤ３の外面のみならず貫通孔３Ａの内面にも熱処理を施すことができ、ピニオンギヤ３の機械的強度を一層高めることができる。また、貫通孔３Ａは、ピニオンギヤ形成時の芯出し用孔及び差動装置使用時の潤滑油供給孔・ピニオンギヤ保管時のギヤ支持棒挿入孔として機能し得るように構成されている。
【００３１】
基端部Ｂは、ピニオンギヤ３のサイドギヤ側端部と反対側の端部であって、サイドギヤ５Ｌ，５Ｒに噛合するサイドギヤ噛み合い部を除く部位に形成されている。基端部Ｂの外周面には、ピニオンギヤ背面孔１０Ａのピニオンギヤ支持面１０ａ及び延出部１０Ｂのピニオンギヤ支持面１０ｂの一部に対応する第１被支持部３ａ（ギヤ外周部）が設けられている。ピニオンギヤ３の背面には、図１０（ａ）及び（ｂ）に示すように、ピニオンギヤ背面孔１０Ａのピニオンギヤ受部ｍに適合する球面で形成された摺動部３Ｂが設けられている。
【００３２】
ギヤ部Ｃは、図１０（ａ）及び（ｂ）に示すように、ピニオンギヤ３，４の第２被支持部３ｂを含むストレート部Ｃｓとこのストレート部Ｃｓに連接するテーパ部Ｃｔとからなり、デフケース２の回転軸線側でサイドギヤ５Ｌ，５Ｒに噛合するように構成されている。ストレート部Ｃｓにおける凸歯Ｃ１の歯先面ｃ（基端部Ｂの外周面に連続するギヤ噛み合い部の歯先面一部）は、所定の外径をもつ周面で形成されている。テーパ部Ｃｔにおける凸歯Ｃ１の歯先面ｃは、ギヤ基端部からギヤ先端部に向かって小さくなる周面で形成されている。
【００３３】
（サイドギヤ５Ｌ，５Ｒの構成）
サイドギヤ５Ｌ，５Ｒは、図２に示すように、各外径が互いに異なるボス部５Ｌａ，５Ｒａ及びギヤ部５Ｌｂ，５Ｒｂを有する略環状の歯車（ピニオンギヤ３，４の外径より大きい外径を有し、単一の歯先円錐角をもつ傘歯車）からなり、デフケース２内に回転自在に支持され、ピニオンギヤ３，４に噛合するように構成されている。サイドギヤ５Ｌ，５Ｒの歯数は、ピニオンギヤ３，４の歯数の２．１倍以上の歯数（例えばピニオンギヤ３，４の歯数７に対しサイドギヤ５Ｌ，５Ｒの歯数１５）に設定されている。サイドギヤ５Ｌ，５Ｒの外径は、ピニオンギヤ３，４の外径及び延出部１０Ｂ，１１Ｂ間の寸法より大きい寸法に設定されている。
【００３４】
サイドギヤ５Ｌ，５Ｒの背面には、スラストワッシャ受部９Ｌｃ，９Ｒｃにスラストワッシャ６Ｌ，６Ｒを介して適合する球面からなる摺動部５Ｌｃ，５Ｒｃが設けられている。サイドギヤ５Ｌ，５Ｒ内には、図１１に示すように、それぞれ車軸２９が車軸挿入孔９Ｌ，９Ｒに挿通してスプライン嵌合されている。サイドギヤ５Ｌ，５Ｒの内周面と車軸２９の外周面との間には、スプライン嵌合部５Ｌｃ，５Ｒｃに欠歯による空間Ｇ（スプライン突起のない領域）を形成することにより潤滑油供給路２８がデフケース２の回転軸線Ｏの回りに等間隔もって複数個設けられている。サイドギヤ５Ｌ，５Ｒ間には、図２及び図３に示すように、車軸移動規制部材としてのアクスルスペーサ２３が介装されている。
【００３５】
アクスルスペーサ２３は、図３及び図１２に示すように、両端部に左右の車軸２９（図１１に示す）の先端部が嵌合する凹部２３ａ，２３ｂを有し、デフケース２の回転軸線Ｏ上に配置されている。そして、全体が略円柱状体によって形成されている。これにより、サイドギヤ５Ｌ，５Ｒと左右の車軸２９との連結（スプライン嵌合）が円滑かつ確実に行われる。アクスルスペーサ２３の凹部２３ａ，２３ｂの底面は、車軸２９の先端面が係合する係合面２３Ａ，２３Ｂで形成されている。アクスルスペーサ２３には、その軸線を含む仮想面と平行な切り欠き面２４ａ，２５ａを有する切り欠き２４，２５が設けられている。
【００３６】
切り欠き２４，２５は、図３に示すように、その内部が潤滑油供給路２８（図１１に示す）に連通し、かつアクスルスペーサ２３の円周方向に等間隔をもって並列する部位に配置されている。そして、デフケース２の回転時に潤滑油を攪拌するように構成されている。また、延出部１０Ｂ，１１Ｂのピニオンギヤ支持面１０ｂ，１１ｂの一部とピニオンギヤ背面孔１０Ａ，１１Ａのピニオンギヤ支持面１０ａ，１１ａとの間にサイドギヤ５Ｌ，５Ｒ内の潤滑油を導入するように構成されている。これにより、ピニオンギヤ３，４の第１被支持部３ａ，４ａに対する潤滑油を十分に供給することができる。また、切り欠き２４，２５内にはデフケース２外から車軸挿入孔９Ｌ，９Ｒの内周面と車軸２９の外周面との間に流入した潤滑油が潤滑油供給路２８を介してデフケース２内に導入されるため、ピニオンギヤ３，４の第１被支持部３ａ，４ａに対する潤滑油の供給量を増加することができる。
【００３７】
（スラストワッシャ６Ｌ，６Ｒの構成）
スラストワッシャ６Ｌ，６Ｒは、図１〜図３に示すように、サイドギヤ５Ｌ，５Ｒのスラスト力を受けるワッシャ本体６Ｌａ，６Ｒａを有する環状のワッシャからなり、サイドギヤ５Ｌ，５Ｒの背面とスラストワッシャ受部９Ｌａ，９Ｒａとの間に介装されている。そして、サイドギヤ５Ｌ，５Ｒとピニオンギヤ３，４との噛み合いを調整するように構成されている。スラストワッシャ６Ｌ，６Ｒの外周縁には、円周方向に等間隔をもって並列する塑性変形可能な略杓文字状の係止片２６，２７が一体に設けられている。
【００３８】
係止片２６，２７は、塑性変形してサイドギヤ５Ｌ，５Ｒの外周面に係止され、かつサイドギヤ５Ｌ，５Ｒの回転を許容する位置に配置されている。そして、サイドギヤ５Ｌ，５Ｒに対するスラストワッシャ６Ｌ，６Ｒの径方向の位置ずれを防止するように構成されている。これにより、スラストワッシャ６Ｌ，６Ｒの組付時に係止片２６，２７を塑性変形させてサイドギヤ５Ｌ，５Ｒに係止すると、スラストワッシャ６Ｌ，６Ｒがサイドギヤ５Ｌ，５Ｒに一体化されるため、サイドギヤ５Ｌ，５Ｒに対する車軸２９の連結時にスラストワッシャ６Ｌ，６Ｒの径方向の位置ずれを修正する必要がなくなり、車軸連結時の工程数を削減して車軸連結作業の簡素化及びコストの低廉化を図ることができる。係止片２６，２７の厚さは、ワッシャ本体６Ｌａ，６Ｒａの厚さより小さい寸法に設定されている。これにより、係止片２６，２７が塑性変形し易くなり、サイドギヤ５Ｌ，５Ｒに対するスラストワッシャ６Ｌ，６Ｒの組付作業を簡単に行うことができる。なお、係止片２６，２７はサイドギヤ５Ｌ，５Ｒに対する車軸２９の連結後には不要であるため、車軸２９の連結後には除去することも可能である。
【００３９】
〔車両用差動装置１の動作〕
先ず、車両のエンジン側からのトルクがドライブピニオン及びリングギヤを介してデフケース２に入力されると、デフケース２が回転軸線Ｏの回りに回転される。次に、デフケース２が回転されると、この回転力がピニオンギヤ３，４に伝達され、さらにピニオンギヤ３，４からサイドギヤ５Ｌ，５Ｒに伝達される。この場合、左右のサイドギヤ５Ｌ，５Ｒにはそれぞれ車軸２９がスプライン嵌合されているため、エンジン側からのトルクがドライブピニオン及びリングギヤ・デフケース２・ピニオンギヤ３，４・サイドギヤ５Ｌ，５Ｒを介して左右の車軸２９に伝達される。また、デフケース２が回転されると、次の（１）〜（４）に示すようにピニオンギヤ３，４及びピニオンギヤ支持部１０，１１が潤滑される。
【００４０】
（１）図１３に示すように、突起７ａ，８ａ（図１３では一方のみ示す）を含む潤滑油導入部７，８をデフケース２内に有する構造であるため、デフケース２が回転されると、遠心力又は重力によって飛散又は流入した潤滑油Ｌが空間７ｂ，８ｂに貯溜される。そして、空間７ｂ，８ｂの潤滑油Ｌが突起７ａ，８ａによって掻き揚げられ、ピニオンギヤ３，４（一方のみ図示）の摺動面（基端部Ｂの第１被支持部３ａ，４ａ及びギヤ部Ｃの第２被支持部４ｂ）とピニオンギヤ支持部１０，１１のピニオンギヤ支持面（ピニオンギヤ背面孔１０Ａ，１１Ａのピニオンギヤ支持面１０ａ，１１ａ及び延出部１０Ｂ，１１Ｂのピニオンギヤ支持面１０ｂ，１１ｂ）との間に導入され、基端部Ｂの第１被支持部３ａ，４ａ及びギヤ部Ｃの第２被支持部３ｂ，４ｂとピニオンギヤ背面孔１０Ａ，１１Ａのピニオンギヤ支持部１０ａ，１１ａ及び延出部１０Ｂ，１１Ｂのピニオンギヤ支持面１０ｂ，１１ｂとの潤滑が行われる。
【００４１】
（２）デフケース２の回転軸線Ｏの回りに沿う円弧状の凹部からなる潤滑油貯溜部３０をデフケース２内に有する構造であるため、デフケース２が回転されると、遠心力を受けた潤滑油が潤滑油貯溜部３０において貯溜され、ピニオンギヤ３，４の第１被支持部３ａ，４ａが潤滑油貯溜部３０から切り欠き１０ｄ，１１ｄを介して潤滑油の供給を受けその潤滑が行われる。
【００４２】
（３）延出部１０Ｂ，１１Ｂのピニオンギヤ支持面１０ｂ，１１ｂの一部及びピニオンギヤ背面孔１０Ａ，１１Ａのピニオンギヤ支持面１０ａ，１１ａに対する摺動面としての第１被支持部３ａ，４ａに開口する複数の凹溝３Ｃ，３Ｃ，…がピニオンギヤ３，４に設けられているため、デフケース２が回転されると、凹溝３Ｃ，３Ｃ，…内に潤滑油が流入し、ピニオンギヤ３，４の第１被支持部３ａ，４ａと延出部１０Ｂ，１１Ｂのピニオンギヤ支持面１０ｂ，１１ｂの一部及びピニオンギヤ背面孔１０Ａ，１１Ａのピニオンギヤ支持面１０ａ，１１ａとの間に潤滑油が介在し、ピニオンギヤ３，４の第１被支持部３ａ，４ａと延出部１０Ｂ，１１Ｂのピニオンギヤ支持面１０ｂ，１１ｂの一部及びピニオンギヤ背面孔１０Ａ，１１Ａのピニオンギヤ支持面１０ａ，１１ａとの潤滑が行われる。この際、凹溝３Ｃ，３Ｃ，…がその長手方向をピニオンギヤ３、４の自転軸と平行させてピニオンギヤ背面孔１０Ａ，１１Ａのピニオンギヤ受部側及びデフケース２の回転軸線側のうち少なくとも一側に開口されているため、ピニオンギヤ３，４の公転時に作用する遠心力や重力によって潤滑油がデフケース２の回転軸線側から凹溝３Ｃ，３Ｃ内に流動した後、ピニオンギヤ３，４の第１被支持部３ａ，４ａに到達する。
【００４３】
（４）両サイドギヤ５Ｌ，５Ｒ間に介在するアクスルスペーサ２３には、その軸線を含む仮想面と平行な切り欠き面２４ａ，２５ａを有する切り欠き２４，２５が設けられているため、ピニオンギヤ３，４における基端部Ｂの第１被支持部３ａ，４ａ及びギヤ部Ｃの第２被支持部４ｂとピニオンギヤ背面孔１０Ａ，１１Ａのピニオンギヤ支持面１０ａ，１１ａ及び延出部１０Ｂ，１１Ｂのピニオンギヤ支持面１０ｂ，１１ｂとの間にサイドギヤ５Ｌ，５Ｒ内の潤滑油を導入することができ、ピニオンギヤ３，４の第１被支持部３ａ，４ａに対する潤滑油を十分に供給することができる。また、切り欠き２４，２５内にはデフケース２外から車軸挿入孔９Ｌ，９Ｒの内周面と車軸２９の外周面との間に流入した潤滑油が潤滑油供給路２８を介してデフケース２内に導入されるため、ピニオンギヤ３，４の第１被支持部３ａ，４ａに対する潤滑油の供給量を増加することができる。
【００４４】
ここで、左右の車軸上における各車輪に加わる負荷が等しい場合には、エンジン側からのトルクがデフケース２に伝達されると、ピニオンギヤ３，４がサイドギヤ５Ｌ，５Ｒ上を公転し、ピニオンギヤ３，４及びサイドギヤ５Ｌ，５Ｒがデフケース２と共に一体に回転されるため、エンジン側からのトルクが左右両車軸に等分に伝達され、左右各車輪が等しい回転数で回転される。
【００４５】
一方、走行中に車両が例えば左方に旋回したり、あるいは右側の車輪がぬかるみに落ち込んだりした場合には、ピニオンギヤ３，４がサイドギヤ５Ｌ，５Ｒと噛み合いながら自転し、エンジン側からのトルクが左右の車軸（車輪）間で差動分配される。すなわち、左側の車輪がデフケース２の回転速度より低い速度で回転され、右側の車輪がデフケース２の回転速度より高い速度で回転される。
【００４６】
また、デフケース２にトルクが作用した状態でピニオンギヤ３，４が自転すると、第１ピニオンギヤ支持面１０ａ，１１ａ及び第２ピニオンギヤ支持面１４ａ，１５ａで摺動するため、これら第１ピニオンギヤ支持面１０ａ，１１ａ及び第２ピニオンギヤ支持面１４ａ，１５ａとの間に摩擦抵抗を発生し、これら摩擦抵抗によってサイドギヤ５Ｌ，５Ｒの差動回転が制限される。
【００４７】
この場合、ピニオンギヤ３，４の回転によってサイドギヤ５Ｌ，５Ｒとの噛み合い面で各々のギヤの回転軸方向のスラスト力が発生する。サイドギヤ５Ｌ，５Ｒに発生するスラスト力によりサイドギヤ５Ｌ，５Ｒが互いに離間する方向に移動してスラストワッシャ６Ｌ，６Ｒをスラストワッシャ受部９Ｌｃ，９Ｒｃに圧接するため、スラストワッシャ６Ｌ，６Ｒとスラストワッシャ受部９Ｌｃ，９Ｒｃとの間に摩擦抵抗を発生し、これら摩擦抵抗によってもサイドギヤ５Ｌ，５Ｒの差動回転が制限される。また、ピニオンギヤ３，４に発生するスラスト力によりピニオンギヤ３，４の摺動部３Ｂ，４Ｂがデフケース２のピニオンギヤ受部ｍ，ｎに圧接するため、ピニオンギヤ３，４の自転に対する摩擦抵抗が発生し、これによってもサイドギヤ５Ｌ，５Ｒの差動回転が制限される。
【００４８】
次に、本実施の形態（第１の実施の形態）に係る車両用差動装置の組立方法につき、図２及び図３・図５・図１４・図１５（ａ）〜（ｄ）を用いて説明する。図１４は、本発明の第１の実施の形態に係る車両用差動装置の組立方法におけるサイドギヤの組み込み工程を説明するために示す断面図である。図１５（ａ）〜（ｄ）は、本発明の第１の実施の形態に係る車両用差動装置の組立方法におけるサイドギヤの挿入手順を説明するために概略化して示す平面図である。
【００４９】
本実施の形態に示す車両用差動装置の組立方法は、「ピニオンギヤの組み込み（第１ステップ）」及び「サイドギヤの組み込み（第２ステップ）」・「ピニオンギヤとサイドギヤとの噛み合わせ（第３ステップ）」・「スラストワッシャの位置決め（第４ステップ）」の各工程が順次実施されるため、これら各工程を順次説明する。
【００５０】
「ピニオンギヤの組み込み」
図５に示すように、サイドギヤ通過孔１２Ｌ，１２Ｒからピニオンギヤ３，４をデフケース２内に挿入した後、その摺動部３Ｂ，４Ｂがピニオンギヤ受部ｍ，ｎに当接するまでピニオンギヤ３，４を移動させてピニオンギヤ支持部１０，１１に支持する。この場合、ピニオンギヤ３，４はピニオンギヤ支持部１０，１１に支持されると、デフケース２内の所定の位置に組み込まれる。
【００５１】
「サイドギヤの組み込み」
図１４に示すように、サイドギヤ５Ｌ，５Ｒをスラストワッシャ受部９Ｌｃ，９Ｒｃに沿ってそれぞれ摺動させながらサイドギヤ通過孔１２Ｌ，１２Ｒからデフケース２内に挿入し、そのサイドギヤ軸線をデフケース２の回転軸線Ｏに合致させる。この場合、デフケース２内に１対のサイドギヤ５Ｌ，５Ｒを挿入するにあたり、図１５（ａ）〜（ｄ）に示すようにデフケース２の回転軸線Ｏ（図１４に示す）を介して互いに対向する位置（サイドギヤ通過孔１２Ｌ，１２Ｒ）からピニオンギヤ３，４（ピニオンギヤ３のみ図示）を回転させるような方向（矢印方向）にサイドギヤ５Ｌ，５Ｒを移動させる。これにより、サイドギヤ５Ｌ，５Ｒのデフケース２への挿入時にサイドギヤ５Ｌ，５Ｒの歯先がピニオンギヤ３，４の歯先に接触しても、サイドギヤ５Ｌ，５Ｒの挿入がピニオンギヤ３，４を回転させながら行われ、サイドギヤ５Ｌ，５Ｒの組み込みを円滑に行うことができる。また、サイドギヤ５Ｌ，５Ｒは、回転軸線Ｏに合致すると、デフケース２内に組み込まれる。
【００５２】
「ピニオンギヤとサイドギヤとの噛み合わせ」
図３に示すように、スラストワッシャ受部９Ｌｃ，９Ｒｃとサイドギヤ５Ｌ，５Ｒとの間の軸線方向寸法を調整しながら、サイドギヤ５Ｌ，５Ｒの摺動部５Ｌａ，５Ｒａと車軸挿入孔９Ｌ，９Ｒのスラストワッシャ受部９Ｌｃ，９Ｒｃとの間にスラストワッシャ６Ｌ，６Ｒを介装する。この場合、スラストワッシャ６Ｌ，６Ｒがサイドギヤ５Ｌ，５Ｒとスラストワッシャ受部９Ｌｃ，９Ｒｃとの間に介装されると、サイドギヤ５Ｌ，５Ｒとピニオンギヤ３，４とがデフケース２の回転軸線Ｏ上で噛み合わされる。また、サイドギヤ５Ｌ，５Ｒと車軸２９との連結（スプライン嵌合）を円滑かつ確実に実行するためには、ピニオンギヤ３，４とサイドギヤ５Ｌ，５Ｒとを噛み合わせるにあたり、サイドギヤ５Ｌ，５Ｒ間にアクスルスペーサ２３を介装する。
【００５３】
「スラストワッシャの位置決め」
図２に示すように、スラストワッシャ６Ｌ，６Ｒの係止片２６，２７を塑性変形させてサイドギヤ５Ｌ，５Ｒの外周部に係止する。この場合、係止片２６，２７がサイドギヤ５Ｌ，５Ｒに係止されると、スラストワッシャ６Ｌ，６Ｒがサイドギヤ５Ｌ，５Ｒに取り付けられる。
【００５４】
[第１の実施の形態の効果]
以上説明した第１の実施の形態によれば、次に示す効果が得られる。
【００５５】
（１）ピニオンギヤ３，４の第１被支持部３ａ，４ａと延出部１０Ｂ，１１Ｂのピニオンギヤ支持面１０ｂ，１１ｂの一部及びピニオンギヤ背面孔１０Ａ，１１Ａのピニオンギヤ支持面１０ａ，１１ａとの間、特にピニオンギヤ３，４のギヤ外周部（基端部Ｂの第１被支持部３ａ，４ａ）に潤滑油を十分に供給することができ、ピニオンギヤ３，４のギヤ外周部の焼き付きを抑えることができる。
【００５６】
（２）潤滑油導入部７，８の突起７ａ，８ａが放熱フィンとしての機能を発揮するため、デフケース２の回転時に基端部Ｂの第１被支持部３ａ，４ａと延出部１０Ｂ，１１Ｂのピニオンギヤ支持面１０ｂ，１１ｂの一部及びピニオンギヤ背面孔１０Ａ，１１Ａのピニオンギヤ支持面１０ａ，１１ａとの間で発生した摩擦熱を潤滑油に放出することができる。
【００５７】
（３）潤滑油貯溜部３０がデフケース２の回転軸線Ｏの回りに沿う円弧状の１対の凹部からなることにより、ピニオンギヤ支持部１０，１１の根元部に発生する応力が潤滑油貯溜部３０で分散されるので、デフケース２に作用する応力を分散させることができ、デフケース２の機械的強度を高めることができる。
【００５８】
（４）スラストワッシャ６Ｌ，６Ｒはサイドギヤ５Ｌ，５Ｒに塑性変形可能な係止片２６，２７を有するものであるため、スラストワッシャ６Ｌ，６Ｒの組付時に係止片２６，２７を塑性変形させてサイドギヤ５Ｌ，５Ｒに係止すると、スラストワッシャ６Ｌ，６Ｒがサイドギヤ５Ｌ，５Ｒに一体化される。これにより、サイドギヤ５Ｌ，５Ｒに対する車軸２９の連結時にスラストワッシャ６Ｌ，６Ｒの径方向の位置ずれを修正する必要がなくなり、車軸連結時の工程数を削減して車軸連結作業の簡素化及びコストの低廉化を図ることができる。
【００５９】
（５）サイドギヤ５Ｌ，５Ｒの内周面と車軸２９の外周面との間には、スプライン嵌合部５Ｌｃ，５Ｒｃに欠歯による空間Ｇ（スプライン突起のない領域）を形成することにより潤滑油供給路２８が設けられているため、デフケース２外から車軸挿入孔９Ｌ，９Ｒの内周面と車軸２９の外周面との間に流入した潤滑油が潤滑油供給路２８を介してデフケース２内に導入され、ピニオンギヤ３，４の摺動面（基端部Ｂの第１被支持部３ａ，４ａ）と延出部１０Ｂ，１１Ｂのピニオンギヤ支持面１０ｂ，１１ｂの一部及びピニオンギヤ背面孔１０Ａ，１１Ａのピニオンギヤ支持面１０ａ，１１ａとの間に対する潤滑油の供給量を増加することができる。
【００６０】
なお、本実施の形態では、略杓文字状の係止片２６，２７を有するスラストワッシャ６Ｌ，６Ｒをサイドギヤ５Ｌ，５Ｒに位置決め（一体化）する場合について説明したが、本発明はこれに限定されず、図１６に示すような平面略Ｔ字状の係止片４０ａ，４０ｂを有するスラストワッシャ４０（一方のみ図示）をサイドギヤ５Ｌ，５Ｒに位置決めしてもよい。この場合、サイドギヤ５Ｌ，５Ｒに対するスラストワッシャ３０の位置決めは、図１７（ａ）及び（ｂ）に示すようにスラストワッシャ４０をサイドギヤ５Ｌ，５Ｒの背面に当接させた後、図１８（ａ）及び（ｂ）に示すように係止片４０ａ，４０ｂを塑性変形（合計８回）させて係止することにより行う。図１６に示すスラストワッシャ４０には、ワッシャ内周部からワッシャ外周部に潤滑油を導入する潤滑油導入路４０Ａが設けられている。このため、スラストワッシャ４０のワッシャ内周部からワッシャ外周部に潤滑油を導入してピニオンギヤ３，４のギヤ外周部に供給することができ、ピニオンギヤ３，４の耐焼き付き性に貢献することができる。
【００６１】
また、本実施の形態では、スラストワッシャ６Ｌ，６Ｒに設けられた係止片２６，２７をサイドギヤ５Ｌ，５Ｒに係止する場合について説明したが、本発明はこれに限定されず、デフケースに係止してもよい。この他、デフケースに係止片を設け、この係止片をスラストワッシャに係止しても、さらにサイドギヤに係止片を設け、この係止片をワッシャに係止してもよい。すなわち要するに、本発明における１対のスラストワッシャとしては、１対のサイドギヤの背面と１対の車軸挿入孔の内側開口周縁との間にそれぞれ介装され、デフケース又は１対のサイドギヤとの間で係止状態を保持可能な１対のスラストワッシャであればよい。
【００６２】
[第２の実施の形態]
図１９は、本発明の第２の実施の形態に係る車両用差動装置を説明するために示す縦断面図である。図２０は、図１９のＡ部分を拡大して示す断面図である。図１９及び図２０において、図１〜図１５と同一又は同等の部材については同一の符号を付し、詳細な説明は省略する。
【００６３】
図１９に示すように、第２の実施の形態に示す車両用差動装置１００は、スラストワッシャ６Ｌ，６Ｒの径方向の移動を規制するために、スラストワッシャ６Ｌ，６Ｒの径方向のずれをそれぞれ防止するずれ防止部材（弾性リング）としての止め輪１０１Ｌ，１０１Ｒを備えた点に特徴がある。
【００６４】
このため、止め輪１０１Ｌ，１０１Ｒは、車軸挿入孔９Ｌ，９Ｒの内側開口周縁とサイドギヤ５Ｌ，５Ｒの背面との間にそれぞれ介在し、かつスラストワッシャ６Ｌ，６Ｒにそれぞれ挿通するスナップリング（弾性リング）によって形成されている。
【００６５】
車軸挿入孔９Ｌ，９Ｒの内側開口部には、止め輪１０１Ｌ，１０１Ｒの両挿通端部のうち一方の挿通端部を収容する円柱状の第１収容空間１０２Ｌ，１０２Ｒがそれぞれ設けられている。第１収容空間１０２Ｌ，１０２Ｒの内周面には、止め輪１０１Ｌ，１０１Ｒがその外周面を圧接してそれぞれ装着されている。
【００６６】
サイドギヤ５Ｌ，５Ｒのスラストワッシャ側には、止め輪１０１Ｌ，１０１Ｒの両挿通端部のうち他方の挿通端部を収容する円柱状の第２収容空間１０３Ｌ，１０３Ｒがそれぞれ設けられている。図２０に示すように、第２収容空間１０３Ｌ，１０３Ｒの内径Ｄ１は、第１収容空間１０２Ｌ，１０２Ｒの内径Ｄ２より大きい（Ｄ１＞Ｄ２）寸法に設定されている。これにより、止め輪１０１Ｌ，１０１Ｒは、その外周面を第２収容空間１０３Ｌ，１０３Ｒの内周面に圧接しない位置に配置されている。
【００６７】
次に、本実施の形態（第２の実施の形態）に係る車両用差動装置の組立方法につき、図１９を用いて説明する。
【００６８】
本実施の形態に示す車両用差動装置の組立方法は、「ピニオンギヤの組み込み（第１ステップ）」及び「サイドギヤの組み込み（第２ステップ）」・「ピニオンギヤとサイドギヤとの噛み合わせ（第３ステップ）」・「スラストワッシャの位置決め（第４ステップ）」の各工程が順次実施されるが、「ピニオンギヤの組み込み」及び「サイドギヤの組み込み」・「ピニオンギヤとサイドギヤとの噛み合わせ」の各工程については第１の実施の形態に示す車両用差動装置の組立方法に示す「ピニオンギヤの組み込み」及び「サイドギヤの組み込み」・「ピニオンギヤとサイドギヤとの噛み合わせ」の各工程と略同一であり、「スラストワッシャの位置決め」の工程のみが異なるため、「ピニオンギヤの組み込み」及び「サイドギヤの組み込み」・「ピニオンギヤとサイドギヤとの噛み合わせ」の各工程の説明を省略し、「スラストワッシャの位置決め」の工程のみを説明する。
【００６９】
「スラストワッシャの位置決め」
図１９に示すように、止め輪１０１Ｌ，１０１Ｒを縮径させて車軸挿入孔９Ｌ，９Ｒ内にその外側開口部から挿入し、さらにスラストワッシャ６Ｌ，６Ｒに挿通させてサイドギヤ５Ｌ，５Ｒ内に挿入することにより、止め輪１０１Ｌ，１０１Ｒの両挿通端部のうち一方の挿通端部（外周面）を車軸挿入孔９Ｌ，９Ｒの第１収容空間１０２Ｌ，１０２Ｒの内周面に圧接し、また他方の挿通端部（外周面）をサイドギヤ５Ｌ，５Ｒの第２収容空間１０３Ｌ，１０３Ｒの内面に圧接しない位置に止め輪１０１Ｌ，１０１Ｒを配置する。この場合、止め輪１０１Ｌ，１０１Ｒが第１収容空間１０２Ｌ，１０２Ｒの内周面に圧接し、また第２収容空間１０３Ｌ，１０３Ｒの内面に圧接しない位置に配置されると、止め輪１０１Ｌ，１０１Ｒが第１収容空間１０２Ｌ，１０２Ｒに装着され、スラストワッシャ６Ｌ，６Ｒがサイドギヤ５Ｌ，５Ｒの背面とスラストワッシャ受部９Ｌｃ，９Ｒｃとの間に径方向にずれない状態で位置決めされる。
【００７０】
[第２の実施の形態の効果]
以上説明した第２の実施の形態によれば、第１の実施の形態の効果（１）〜（５）に加え、次に示す効果が得られる。
【００７１】
スラストワッシャ６Ｌ，６Ｒを挿通する止め輪１０１Ｌ，１０１Ｒを第１収容空間１０２Ｌ，１０２Ｒにそれぞれ装着することにより、サイドギヤ５Ｌ，５Ｒの背面とスラストワッシャ受部９Ｌｃ，９Ｒｃとの間に介在するスラストワッシャ６Ｌ，６Ｒの径方向のずれを防止することができるため、第１の実施の形態（図１６）に示す場合（係止片２６，２７の塑性変形回数が合計８回）と比べてスラストワッシャ６Ｌ，６Ｒの取り付けを簡単に行うことができ、装置組立時の作業性を確実に改善することができる。
【００７２】
以上、本発明の車両用差動装置を上記の実施の形態に基づいて説明したが、本発明は上記の実施の形態に限定されるものではなく、その要旨を逸脱しない範囲で種々の態様において実施することが可能であり、例えば次に示すような変形も可能である。
【００７３】
（１）各実施の形態では、デフケース２が１ピースの部材によって形成されている場合について説明したが、本発明はこれに限定されず、複数のケースエレメントからなるデフケースであっても勿論よい。
【００７４】
（２）各実施の形態では、サイドギヤ５Ｌ，５Ｒに噛合するピニオンギア３，４が２個（１対）デフケース２内に配置する場合について説明したが、本発明はこれに限定されず、ギヤ径を小さい寸法に設定することにより３個以上のピニオンギヤをデフケース内に配置することができる。
【図面の簡単な説明】
【００７５】
【図１】本発明の第１の実施の形態に係る車両用差動装置を説明するために示す分解斜視図。
【図２】本発明の第１の実施の形態に係る車両用差動装置を説明するために示す縦断面図。
【図３】本発明の第１の実施の形態に係る車両用差動装置を説明するために示す横断面図。
【図４】本発明の第１の実施の形態に係る車両用差動装置のピニオンギヤの組付状態を示す斜視図。
【図５】本発明の第１の実施の形態に係る車両用差動装置のピニオンギヤの組付状態をデフケースの回転軸線と直角に切断して示す断面図。
【図６】（ａ）及び（ｂ）は、本発明の第１の実施の形態に係る車両用差動装置のピニオンギヤの組付状態をデフケースの回転軸線と平行に切断して示す断面図。
【図７】本発明の第１の実施の形態に係る車両用差動装置のデフケースを示す斜視図。
【図８】本発明の第１の実施の形態に係る車両用差動装置のデフケースの潤滑油導入部を説明するために示す断面図。
【図９】本発明の第１の実施の形態に係る車両用差動装置のデフケースの潤滑油貯溜部を説明するために示す断面図。
【図１０】（ａ）及び（ｂ）は、本発明の第１の実施の形態に係る車両用差動装置のピニオンギヤを説明するために示す斜視図。
【図１１】本発明の第１の実施の形態に係る車両用差動装置のサイドギヤと車軸の連結状態を示す断面図。
【図１２】本発明の第１の実施の形態に係る車両用差動装置の車軸移動規制部材を説明するために示す斜視図。
【図１３】本発明の第１の実施の形態に係る車両用差動装置の潤滑油供給動作を説明するために示す断面図。
【図１４】本発明の第１の実施の形態に係る車両用差動装置の組立方法におけるサイドギヤの組み込み工程を説明するために示す断面図。
【図１５】（ａ）〜（ｄ）は、本発明の第１の実施の形態に係る車両用差動装置の組立方法におけるサイドギヤの挿入手順を説明するために概略化して示す平面図。
【図１６】本発明の第１の実施の形態に係る車両用差動装置のスラストワッシャの変形例を説明するために示す正面図。
【図１７】（ａ）及び（ｂ）は、本発明の第１の実施の形態に係る車両用差動装置のサイドギヤに対するスラストワッシャの係止前の状態を示す側面図。
【図１８】（ａ）及び（ｂ）は、本発明の第１の実施の形態に係る車両用差動装置のサイドギヤに対するスラストワッシャの係止後の状態を示す側面図。
【図１９】本発明の第２の実施の形態に係る車両用差動装置の全体を説明するために示す断面図。
【図２０】図１９のＡ部分を拡大して示す断面図。
【符号の説明】
【００７６】
１，１００…車両用差動装置、２…デフケース、２Ａ…空間部、２Ｂ…膨出部、３，４…ピニオンギヤ、３Ａ，４Ａ…貫通孔、３Ｂ，４Ｂ…摺動部、３Ｃ…凹溝、３ａ，４ａ…第１被支持部、３ｂ，４ｂ…第２被支持部、５Ｌ，５Ｒ…サイドギヤ、５Ｌａ，５Ｒａ…ボス部、５Ｌｂ，５Ｒｂ…ギヤ部、５Ｌｃ，５Ｒｃ…摺動部、５Ｌｄ，５Ｒｄ…スプライン嵌合部、６Ｌ，６Ｒ，４０…スラストワッシャ、７，８…潤滑油導入部、７ａ，８ａ…突起、７ｂ，８ｂ…潤滑油供給源、９Ｌ，９Ｒ…車軸挿入孔、９Ｌａ，９Ｒａ…スラストワッシャ受部、１０，１１…ピニオンギヤ支持部、１０Ａ，１１Ａ…ピニオンギヤ背面孔、１０ａ，１１ａ…ピニオンギヤ支持面、１０Ｂ，１１Ｂ…延出部、１０ｂ，１１ｂ…ピニオンギヤ支持面、１０Ｃ，１１Ｃ…ワッシャ受部、１０ｄ，１１ｄ…切り欠き、１２Ｌ，１２Ｒ…サイドギヤ通過孔、１３…取付用フランジ、１４，１５…延出部、１４ａ，１５ａ…ピニオンギヤ支持面、２１，２２…ワッシャ、２３…アクスルスペーサ、２３Ａ，２３Ｂ…係合部、２４，２５…切り欠き、２４ａ，２５ａ…切り欠き面、２６，２７，４０ａ，４０ｂ…係止片、２８…潤滑油供給路、２９…車軸、３０…潤滑油貯溜部、４０Ａ…潤滑油導入路、１０１Ｌ，１０１Ｒ…止め輪、１０２Ｌ，１０２Ｒ…第１収容空間、１０３Ｌ，１０３Ｒ…第２収容空間、Ｌ…潤滑油、ｍ，ｎ…ピニオンギヤ受部、Ｃｓ…ストレート部、Ｃｔ…テーパ部、Ｂ…基端部、Ｃ…ギヤ部、Ｃ１…凸歯、Ｃ２…歯溝、ｃ…歯先面、Ｏ…回転軸線
【図１】
2008082533.tif 000003
【図２】
2008082533.tif 000004
【図３】
2008082533.tif 000005
【図４】
2008082533.tif 000006
【図５】
2008082533.tif 000007
【図６】
2008082533.tif 000008
【図７】
2008082533.tif 000009
【図８】
2008082533.tif 000010
【図９】
2008082533.tif 000011
【図１０】
2008082533.tif 000012
【図１１】
2008082533.tif 000013
【図１２】
2008082533.tif 000014
【図１３】
2008082533.tif 000015
【図１４】
2008082533.tif 000016
【図１５】
2008082533.tif 000017
【図１６】
2008082533.tif 000018
【図１７】
2008082533.tif 000019
【図１８】
2008082533.tif 000020
【図１９】
2008082533.tif 000021
【図２０】
2008082533.tif 000022